(57)【要約】【課題】基地局装置が上りリンクで空間多重可能な端末装置数を増加可能とする、基地局装置、端末装置および通信方法を提供すること。【解決手段】本発明の基地局装置は、複数の端末装置と通信を行なう基地局装置であって、複数のサブフレームにわたって送信されるＤＭＲＳのＤＭＲＳ設定情報を前記端末装置に通知する送信部を備える。また、本発明の端末装置は、基地局装置より通知される複数のサブフレームにわたって送信されるＤＭＲＳのＤＭＲＳ設定情報を取得する受信部と、  前記ＤＭＲＳ設定情報に基づいて、複数のサブフレームにわたって送信するＤＭＲＳを生成する上りリンク参照信号生成部と、前記ＤＭＲＳを送信する送信部と、を備える。【選択図】図１０
2019033304.tif 000002
【特許請求の範囲】
【請求項１】
複数の端末装置と通信を行なう基地局装置であって、
複数のサブフレームにわたって送信されるＤＭＲＳのＤＭＲＳ設定情報を前記端末装置に通知する送信部を備える基地局装置。
【請求項２】
前記ＤＭＲＳ設定情報には、３以上の拡散率のＯＣＣ系列の１つを示す情報が含まれている、請求項１に記載の基地局装置。
【請求項３】
前記３以上の拡散率のＯＣＣ系列の１つを示す情報は、前記ＤＭＲＳに適用される巡回シフト量に関連付けられている、請求項２に記載の基地局装置。
【請求項４】
前記ＤＭＲＳ設定情報には、前記端末装置が前記ＤＭＲＳを送信するサブフレーム番号、またはスロット番号、またはＳＣ−ＦＤＭＡシンボル番号の何れかの少なくとも１つを含む、請求項１に記載の基地局装置。
【請求項５】
複数の端末装置と通信を行なう基地局装置であって、
櫛の歯状の信号スペクトルを備えるＤＭＲＳに関連付けられたＤＭＲＳ設定情報を前記端末装置に通知する送信部を備え、
前記ＤＭＲＳ設定情報には、前記櫛の歯状の信号スペクトルを備えるＤＭＲＳの信号スペクトルの間隔もしくは前記櫛の歯状の信号スペクトルを備えるＤＭＲＳの配置周波数位置の少なくともいずれかを示す第１の情報が含まれており、
前記第１の情報は、前記ＤＭＲＳに適用される巡回シフト量を示す情報に関連付けられている、基地局装置。
【請求項６】
前記ＤＭＲＳ設定情報には、ＯＣＣ系列の１つを示す情報が含まれており、
前記第１の情報と、前記ＯＣＣ系列の１つを示す情報は、前記ＤＭＲＳに適用される巡回シフト量を示す情報に関連付けられている、請求項５に記載の基地局装置。
【請求項７】
複数の端末装置と通信を行なう基地局装置であって、
前記端末装置がＤＭＲＳ以外の信号を送信するリソースに、前記端末装置がＤＭＲＳを送信するリソースを設定するＤＭＲＳ設定情報を前記端末装置に通知する送信部を備える基地局装置。
【請求項８】
前記ＤＭＲＳ設定情報は、前記端末装置がＳＲＳを送信するリソースに設定されるリソースを、前記端末装置がＤＭＲＳを送信するリソースに設定する情報を含む、請求項７に記載の基地局装置。
【請求項９】
前記ＤＭＲＳ設定情報は、前記端末装置がＳＲＳを送信するリソースに設定されるリソースで、前記端末装置がＳＲＳを送信する場合、前記端末装置がＳＲＳを送信するリソースに設定されるリソースを、前記端末装置がＤＭＲＳを送信するリソースに設定しない情報を含む、請求項８に記載の基地局装置。
【請求項１０】
前記ＤＭＲＳ設定情報は、前記端末装置がＰＵＳＣＨを送信するリソースに設定されるリソースを、前記端末装置がＤＭＲＳを送信するリソースに設定する情報を含む、請求項７に記載の基地局装置。
【請求項１１】
基地局装置と通信を行なう端末装置であって、
前記基地局装置より通知される複数のサブフレームにわたって送信されるＤＭＲＳのＤＭＲＳ設定情報を取得する受信部と、
前記ＤＭＲＳ設定情報に基づいて、複数のサブフレームにわたって送信するＤＭＲＳを生成する上りリンク参照信号生成部と、
前記ＤＭＲＳを送信する送信部と、を備える端末装置。
【請求項１２】
基地局装置と通信を行なう端末装置であって、
前記基地局装置が通知する、櫛の歯状の信号スペクトルを備えるＤＭＲＳに関連付けられたＤＭＲＳ設定情報を取得する受信部と、
前記ＤＭＲＳ設定情報に基づいて、前記櫛の歯状の信号スペクトルを備えるＤＭＲＳを生成する上りリンク参照信号生成部と、
前記ＤＭＲＳを送信する送信部と、を備え、
前記ＤＭＲＳ設定情報には、前記櫛の歯状の信号スペクトルを備えるＤＭＲＳの信号スペクトルの間隔もしくは前記櫛の歯状の信号スペクトルを備えるＤＭＲＳの配置周波数位置の少なくともいずれかを示す第１の情報が含まれており、
前記第１の情報は、前記ＤＭＲＳに適用される巡回シフト量を示す情報に関連付けられている、端末装置。
【請求項１３】
基地局装置と通信を行なう端末装置であって、
ＤＭＲＳを生成する上りリンク参照信号生成部と、
前記ＤＭＲＳを送信する送信部と、
前記基地局装置より通知される、前記送信部がＤＭＲＳ以外の信号を送信するリソースに、前記送信部がＤＭＲＳを送信するリソースを設定するＤＭＲＳ設定情報を取得する受信部と、を備える端末装置。
【請求項１４】
複数の端末装置と通信を行なう基地局装置の通信方法であって、
複数のサブフレームにわたって送信されるＤＭＲＳのＤＭＲＳ設定情報を前記端末装置に通知するステップを備える通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、
送信局、送信点、下りリンク送信装置、上りリンク受信装置、送信アンテナ群、送信アンテナポート群、コンポーネントキャリア、ｅＮｏｄｅＢ、アクセスポイント、ＡＰ）或いは基地局装置に準じる送信局がカバーするエリアをセル（Cell）状に複数配置するセルラ構成とすることにより、通信エリアを拡大することができる。基地局装置には、端末装置（受信局、受信点、下りリンク受信装置、上りリンク送信装置、受信アンテナ群、受信アンテナポート群、ＵＥ、ステーション、ＳＴＡ）が接続する。このセルラ構成において、隣接するセルまたはセクタ間で同一周波数を利用することで、周波数利用効率を向上させることができる。
【０００３】
ＬＴＥおよびＬＴＥ−Ａでは、上りリンク（端末装置→基地局装置）伝送方式にシングルキャリア周波数分割多重アクセス（ＳＣ−ＦＤＭＡ）方式が採用されている。ＳＣ−ＦＤＭＡでは、各ユーザの伝搬路品質に応じて柔軟な信号スペクトル配置を行うことで、高い周波数利用効率を実現している。また、同時アクセスする複数ユーザが仮想的な大規模アンテナアレーを形成し、各ユーザの送信信号を空間多重させることで、周波数利用効率の向上が望めるマルチユーザ多重入力多重出力（ＭＵ−ＭＩＭＯ）がＬＴＥの上りリンクでもサポートされている。
【０００４】
上りリンクＭＵ−ＭＩＭＯでは、基地局装置は、空間多重されている各端末装置との間のチャネル状態情報（ＣＳＩ）を把握する必要がある。基地局装置は、各端末装置が送信する復調用参照信号（ＤＭＲＳ）に基づいてＣＳＩを推定することができる。よって、各端末装置が送信するＤＭＲＳは、お互いに直交関係である必要がある。
【０００５】
ＬＴＥの上りリンクＭＵ−ＭＩＭＯでは空間多重されている端末装置の信号スペクトルは、同じ帯域幅でかつ、同じ周波数に配置されることを前提としている。よって各端末装置が、ＤＭＲＳに対して、それぞれ固有の巡回シフトを与えることで、各端末装置から送信されるＤＭＲＳの間で直交関係が達成される。ＬＴＥ−Ａの上りリンクＭＵ−ＭＩＭＯでは、端末装置が送信する信号スペクトルの一部のみの空間多重もサポートされている。この場合、各端末装置はそれぞれ固有の直交カバー符号（ＯＣＣ）を用いてＤＭＲＳを時間方向に拡散することで、ＤＭＲＳの直交関係を達成できる。ＬＴＥ−Ａでは、拡散率２のＯＣＣがサポートされている。よって、ＬＴＥ−Ａの上りリンクＭＵ−ＭＩＭＯでは、２端末装置までの部分的な信号スペクトルの多重がサポートされる（非特許文献１参照）。
【０００６】
最近、基地局装置が備えるアンテナ数を増加させることで、下りリンクの伝送速度を改善させるＦｕｌｌ−ｄｉｍｅｎｔｉｏｎａｌ  ＭＩＭＯ（ＦＤ−ＭＩＭＯ）が検討されている。基地局装置が備えるアンテナ数を増加させることは、上りリンクＭＵ−ＭＩＭＯで空間多重される端末装置数も増加可能であることを示唆している（非特許文献２参照）。
【先行技術文献】
【非特許文献】
【０００７】
【非特許文献１】3GPP R1-094911, Nov. 2009.
【非特許文献２】3GPP RP-151856, Dec. 2015.
【発明の概要】
【発明が解決しようとする課題】
【０００８】
しかしながら、基地局装置が上りリンクＭＵ−ＭＩＭＯで空間多重可能な端末装置数は、自装置が備えるアンテナ数に加えて、直交関係を達成できるＤＭＲＳ数にも依存する。しかし、ＬＴＥ−ＡまでのＤＭＲＳ送信方法では、ＤＭＲＳの直交関係のために、たとえ基地局装置が多くのアンテナを備えたとしても、部分的な信号スペクトルの多重を許容する上りリンクＭＵ−ＭＩＭＯでは、基地局装置が空間多重可能な端末装置数は２に制限されてしまう。
【０００９】
本発明はこのような事情を鑑みてなされたものであり、その目的は、上りリンクで空間多重可能な端末装置数を増加可能とする、基地局装置、端末装置および通信方法を提供することにある。
【課題を解決するための手段】
【００１０】
上述した課題を解決するために本発明に係る基地局装置、端末装置および通信方法の構成は、次の通りである。
【００１１】
（１）すなわち、本発明の基地局装置は、複数の端末装置と通信を行なう基地局装置であって、複数のサブフレームにわたって送信されるＤＭＲＳのＤＭＲＳ設定情報を前記端末装置に通知する送信部を備える。
【００１２】
（２）また、本発明の基地局装置は、上記（１）に記載の基地局装置であって、前記ＤＭＲＳ設定情報には、３以上の拡散率のＯＣＣ系列の１つを示す情報が含まれている。
【００１３】
（３）また、本発明の基地局装置は、上記（２）に記載の基地局装置であって、前記３以上の拡散率のＯＣＣ系列の１つを示す情報は、前記ＤＭＲＳに適用される巡回シフト量に関連付けられている。
【００１４】
（４）また、本発明の基地局装置は、上記（１）に記載の基地局装置であって、前記ＤＭＲＳ設定情報には、前記端末装置が前記ＤＭＲＳを送信するサブフレーム番号、またはスロット番号、またはＳＣ−ＦＤＭＡシンボル番号の何れかの少なくとも１つを含む。
【００１５】
（５）また、本発明の基地局装置は、複数の端末装置と通信を行なう基地局装置であって、櫛の歯状の信号スペクトルを備えるＤＭＲＳに関連付けられたＤＭＲＳ設定情報を前記端末装置に通知する送信部を備え、前記ＤＭＲＳ設定情報には、前記櫛の歯状の信号スペクトルを備えるＤＭＲＳの信号スペクトルの間隔もしくは前記櫛の歯状の信号スペクトルを備えるＤＭＲＳの配置周波数位置の少なくともいずれかを示す第１の情報が含まれており、前記第１の情報は、前記ＤＭＲＳに適用される巡回シフト量を示す情報に関連付けられている。
【００１６】
（６）また、本発明の基地局装置は、上記（５）に記載の基地局装置であって、前記ＤＭＲＳ設定情報には、ＯＣＣ系列の１つを示す情報が含まれており、前記第１の情報と、前記ＯＣＣ系列の１つを示す情報は、前記ＤＭＲＳに適用される巡回シフト量を示す情報に関連付けられている。
【００１７】
（７）また、本発明の基地局装置は、複数の端末装置と通信を行なう基地局装置であって、  前記端末装置がＤＭＲＳ以外の信号を送信するリソースに、前記端末装置がＤＭＲＳを送信するリソースを設定するＤＭＲＳ設定情報を前記端末装置に通知する送信部を備
える。
【００１８】
（８）また、本発明の基地局装置は、上記（７）に記載の基地局装置であって、前記ＤＭＲＳ設定情報は、前記端末装置がＳＲＳを送信するリソースに設定されるリソースを、前記端末装置がＤＭＲＳを送信するリソースに設定する情報を含む。
【００１９】
（９）また、本発明の基地局装置は、上記（８）に記載の基地局装置であって、前記ＤＭＲＳ設定情報は、前記端末装置がＳＲＳを送信するリソースに設定されるリソースで、前記端末装置がＳＲＳを送信する場合、前記端末装置がＳＲＳを送信するリソースに設定されるリソースを、前記端末装置がＤＭＲＳを送信するリソースに設定しない情報を含む。
【００２０】
（１０）また、本発明の基地局装置は、上記（７）に記載の基地局装置であって、前記ＤＭＲＳ設定情報は、前記端末装置がＰＵＳＣＨを送信するリソースに設定されるリソースを、前記端末装置がＤＭＲＳを送信するリソースに設定する情報を含む。
【００２１】
（１１）また、本発明の端末装置は、基地局装置と通信を行なう端末装置であって、前記基地局装置より通知される複数のサブフレームにわたって送信されるＤＭＲＳのＤＭＲＳ設定情報を取得する受信部と、前記ＤＭＲＳ設定情報に基づいて、複数のサブフレームにわたって送信するＤＭＲＳを生成する上りリンク参照信号生成部と、前記ＤＭＲＳを送信する送信部と、を備える。
【００２２】
（１２）また、本発明の端末装置は、基地局装置と通信を行なう端末装置であって、前記基地局装置が通知する、櫛の歯状の信号スペクトルを備えるＤＭＲＳに関連付けられたＤＭＲＳ設定情報を取得する受信部と、前記ＤＭＲＳ設定情報に基づいて、前記櫛の歯状の信号スペクトルを備えるＤＭＲＳを生成する上りリンク参照信号生成部と、前記ＤＭＲＳを送信する送信部と、を備え、前記ＤＭＲＳ設定情報には、前記櫛の歯状の信号スペクトルを備えるＤＭＲＳの信号スペクトルの間隔もしくは前記櫛の歯状の信号スペクトルを備えるＤＭＲＳの配置周波数位置の少なくともいずれかを示す第１の情報が含まれており、前記第１の情報は、前記ＤＭＲＳに適用される巡回シフト量を示す情報に関連付けられている。
【００２３】
（１３）また、本発明の端末装置は、基地局装置と通信を行なう端末装置であって、ＤＭＲＳを生成する上りリンク参照信号生成部と、前記ＤＭＲＳを送信する送信部と、前記基地局装置より通知される、前記送信部がＤＭＲＳ以外の信号を送信するリソースに、前記送信部がＤＭＲＳを送信するリソースを設定するＤＭＲＳ設定情報を取得する受信部と、を備える。
【００２４】
（１４）また、本発明の通信方法は、複数の端末装置と通信を行なう基地局装置の通信方法であって、複数のサブフレームにわたって送信されるＤＭＲＳのＤＭＲＳ設定情報を前記端末装置に通知するステップを備える。
【発明の効果】
【００２５】
本発明によれば、後方互換性を維持しつつ、基地局装置が上りリンクで空間多重可能な端末装置数を増加可能とする、基地局装置、端末装置および通信方法が提供されるから、上りリンクの空間多重端末数が増加し、ひいては通信システムの周波数利用効率が改善される。
【図面の簡単な説明】
【００２６】
【図１】本発明に係る通信システムの例を示す図である。
【図２】本発明に係る基地局装置の１構成例を示すブロック図である。
【図３】本発明に係る端末装置の１構成例を示すブロック図である。
【図４】本発明に係るフレームフォーマットの１例を示す図である。
【図５】本発明に係る無線パラメータの一例を示す表である。
【図６】本発明に係るＤＭＲＳの送信方法の１例を示す図である。
【図７】本発明に係るＤＭＲＳの送信方法の１例を示す図である。
【図８】本発明に係るＤＭＲＳの送信方法の１例を示す図である。
【図９】本発明に係るフレームフォーマットの１例を示す図である。
【図１０】本発明に係るフレームフォーマットの１例を示す図である。
【発明を実施するための形態】
【００２７】
本実施形態における通信システムは、基地局装置（送信装置、セル、送信点、送信アンテナ群、送信アンテナポート群、コンポーネントキャリア、ｅＮｏｄｅＢ、アクセスポイント、ＡＰ、無線ルータ、中継、通信装置）および端末装置（端末、移動端末、受信点、受信端末、受信装置、受信アンテナ群、受信アンテナポート群、ＵＥ、ステーション、ＳＴＡ）を備える。
【００２８】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２９】
［１．第１の実施形態］
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。なお、本実施形態に係る通信システムは、３以上の端末装置２を備えることができる。例えば、本実施形態に係る通信システムは、更に端末装置２Ｃ、２Ｄ、２Ｅを備えることができる。また、端末装置２Ａ、２Ｂ、２Ｃ、２Ｄ、２Ｅを総称して端末装置２とも称する。
【００３０】
図１において、端末装置２から基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３１】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００３２】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００３３】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（code rate）とすることができる。ＣＱＩ値は、前記変更方式や符号化率によ
り定められたインデックス（CQI Index）とすることができる。前記ＣＱＩ値は、予め当
該システムで定めたものをすることができる。
【００３４】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００３５】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３６】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３７】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３８】
ＰＲＡＣＨは、ランダムアクセスプリアンブルを送信するために用いられる。
【００３９】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４０】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。基地局装置１Ａは、ＳＲＳの設定情報を、上位レイヤのシグナリングもしくは後述するＤＣＩフォーマットで通知することができる。基地局装置１Ａは、ＤＭＲＳの設定情報を、上位レイヤのシグナリングもしくは後述するＤＣＩフォーマットで通知することができる。
【００４１】
ＳＲＳは、複数のトリガのされ方が定義される。例えば、上位レイヤのシグナリングによりトリガされるトリガータイプ０と、後述する下りリンク制御情報によりトリガされるトリガータイプ１である。
【００４２】
ＳＲＳは、セル固有のＳＲＳ（Cell specific SRS, Common SRS）とＵＥ固有のＳＲＳ
（UE-specific SRS, Dedicated SRS）を含む。ＵＥ−ｓｐｅｃｉｆｉｃ  ＳＲＳは周期的
に送信されるＳＲＳ（UE-specific periodic SRS）と、トリガに基づいて非周期的に送信されるＳＲＳ（UE-specific aperiodic SRS）を含む。
【００４３】
Ｃｏｍｍｏｎ  ＳＲＳは、上位レイヤのシグナリング、もしくは後述する下りリンク制御情報により、送信帯域幅（srs-BandwidthConfig）と、送信されるサブフレーム（srs-SubframeConfig）が指定される。また、Ｃｏｍｍｍｏｎ  ＳＲＳは所定のパラメータ（例
えばackNackSRS-SimultaneousTransmission）がＦａｌｓｅであった場合、ＨＡＲＱ−Ａ
ＣＫとＳＲの少なくとも１つを含むＰＵＣＣＨが含まれるサブフレームでは送信されない。一方で、Ｃｏｍｍｍｏｎ  ＳＲＳは所定のパラメータ（例えばackNackSRS-SimultaneousTransmission）がＴｒｕｅであった場合、ＨＡＲＱ−ＡＣＫとＳＲの少なくとも１つを
含むＰＵＣＣＨが含まれるサブフレームで送信されることができる。
【００４４】
Ｄｅｄｉｃａｔｅｄ  ＳＲＳは、上位レイヤのシグナリング、もしくは後述する下りリンク制御情報により、送信帯域幅と、ホッピング帯域幅(srs-HoppingBandwidth)と、周波数割当開始位置(freqDomainPosition)と、送信期間（Duration）（Single transmission
もしくはindefinite transmission）と、送信周期（srs-ConfigIndex）と、ＳＲＳの信号系列に与えられる巡回シフト量（cyclicShift）と、櫛の歯に形成されるＳＲＳの位置（transmissionComb）が、それぞれ設定される。
【００４５】
ＳＲＳは、複数のアンテナポートより送信されることができる。送信アンテナポート数は上位レイヤのシグナリングにより設定される。複数のアンテナポートにおけるＳＲＳ送信が設定されたＵＥは、サービングセルに対して、同じサブフレームの１つのＳＣ−ＦＤＭＡシンボルにより、設定された送信アンテナポートの全てからＳＲＳを送信しなければならない。この場合、設定された送信アンテナポートから送信されるＳＲＳは、全て同じ送信帯域幅と、周波数割当開始位置が設定される。
【００４６】
複数のＴｒａｎｓｍｉｓｓｉｏｎ  ａｄｖａｎｃｅ  ｇｒｏｕｐs（ＴＡＧs）が設定されないＵＥは、ＳＲＳとＰＵＳＣＨが同じシンボル内でオーバーラップしない限り、ＳＲＳを送信してはならない。
【００４７】
ＴＤＤのサービングセルに対して、サービングセルのＵｐＰＴＳに１つのＳＣ−ＦＤＭＡシンボルが含まれている場合、ＵＥは該ＳＣ−ＦＤＭＡシンボルをＳＲＳの送信に用いることができる。サービングセルのＵｐＰＴＳに２つのＳＣ−ＦＤＭＡシンボルが含まれている場合、ＵＥは該２つのＳＣ−ＦＤＭＡシンボルの両方をＳＲＳの送信に用いることができる。また、トリガータイプ０のＳＲＳは、同じＵＥに対して、該２つのＳＣ−ＦＤＭＡシンボルの両方をＳＲＳに設定されることができる。
【００４８】
ＨＡＲＱ−ＡＣＫとＳＲＳを１つのサブフレームで送信することをサポートすることを設定されたＵＥは、プライマリセルのセル固有ＳＲＳ送信が設定されたサブフレーム（cell specific SRS subframes）において、を含むＰＵＣＣＨが含まれるサブフレームで送
信
【００４９】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００５０】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭシンボルの数）を指示する情報を送信するために用いられる。
【００５１】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００５２】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００５３】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００５４】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５５】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５６】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５７】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding
type Indicator）などが該当する。
【００５８】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５９】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００６０】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００６１】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００６２】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００６３】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６４】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００６５】
ここで、ＲＲＣメッセージおよび／またはＭＡＣ  ＣＥを、上位層の信号（higher layer signaling）とも称する。
【００６６】
また、ＰＤＳＣＨは、下りリンクのチャネル状態情報を要求するために用いることがで
きる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００６７】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００６８】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６９】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００７０】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号）、ＥＰＤＣＣＨに関連するＤＭＲＳ（Demodulation Reference Signal
）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００７１】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００７２】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００７３】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００７４】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００７５】
ここで、下りリンク物理チャネルおよび下りリンク物理信号を総称して、下りリンク信
号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７６】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００７７】
図２は、本実施形態における基地局装置１Ａの構成を示す概略ブロック図である。図２に示すように、基地局装置１Ａは、上位層処理部（上位層処理ステップ）１０１、制御部（制御ステップ）１０２、送信部（送信ステップ）１０３、受信部（受信ステップ）１０４とアンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５、を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００７８】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００７９】
上位層処理部１０１は、端末装置の機能（UE capability）等、端末装置に関する情報
を端末装置から受信する。言い換えると、端末装置は、自身の機能を基地局装置に上位層の信号で送信する。
【００８０】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００８１】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００８２】
無線リソース制御部１０１１は、下りリンクのＰＤＳＣＨに配置される下りリンクデータ（トランスポートブロック）、システムインフォメーション、ＲＲＣメッセージ、ＭＡ
Ｃ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００８３】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００８４】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００８５】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８６】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、アンテナ１０５を介して端末装置２に信号を送信する。
【００８７】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modulation）、６４ＱＡＭ、２５６ＱＡＭ等の予め定められた、または無線リソース制御部２０１１が決定した変調方式で変調する。
【００８８】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【００８９】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００９０】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、アンテナ１０５に出力して送信する。
【００９１】
受信部１０４は、制御部１０２から入力された制御信号に従って、送受信アンテナ１０
５を介して端末装置２Ａから受信した受信信号を分離、復調、復号し、復号した情報を上位層処理部１０１に出力する。
【００９２】
受信部１０４は、制御部１０２から入力された制御信号に従って、アンテナ１０５を介して端末装置２Ａから受信した受信信号を分離、復調、復号し、復号した情報を上位層処理部１０１に出力する。
【００９３】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９４】
無線受信部１０４１は、変換したディジタル信号からＣＰに相当する部分を除去する。無線受信部１０４１は、ＣＰを除去した信号に対して高速フーリエ変換（Fast Fourier Transform：ＦＦＴ）を行い、周波数領域の信号を抽出し多重分離部１０４２に出力する。
【００９５】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００９６】
また、多重分離部１０４２は、ＰＵＣＣＨとＰＵＳＣＨの伝搬路の補償を行なう。また、多重分離部１０４２は、上りリンク参照信号を分離する。
【００９７】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【００９８】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００９９】
図３は、本実施形態における端末装置２（端末装置２Ａおよび端末装置２Ｂ）の構成を示す概略ブロック図である。図３に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５とアンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３、を含んで構成される。
【０１００】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１０１】
上位層処理部２０１は、自端末装置がサポートしている端末装置の機能を示す情報を、送信部２０３に出力する。
【０１０２】
無線リソース制御部２０１１は、自端末装置の各種設定情報の管理をする。また、無線リソース制御部２０１１は、上りリンクの各チャネルに配置される情報を生成し、送信部２０３に出力する。
【０１０３】
無線リソース制御部２０１１は、基地局装置から送信されたＣＳＩフィードバックに関する設定情報を取得し、制御部２０２に出力する。
【０１０４】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１０５】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１０６】
制御部２０２は、チャネル状態情報生成部２０５が生成したＣＳＩを基地局装置に送信するように送信部２０３を制御する。
【０１０７】
受信部２０４は、制御部２０２から入力された制御信号に従って、アンテナ２０６を介して基地局装置１Ａから受信した受信信号を、分離、復調、復号し、復号した情報を上位層処理部２０１に出力する。
【０１０８】
無線受信部２０４１は、アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１０９】
また、無線受信部２０４１は、変換したディジタル信号からＣＰに相当する部分を除去し、ＣＰを除去した信号に対して高速フーリエ変換を行い、周波数領域の信号を抽出する。
【０１１０】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１１１】
信号検出部２０４３は、ＰＤＳＣＨ、チャネル推定値を用いて、信号検出し、上位層処理部２０１に出力する。
【０１１２】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、アンテナ２０６を介して基地局装置１Ａに送信する。
【０１１３】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１１４】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１１５】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１１６】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１１７】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１１８】
本実施形態に係る信号検出部２０４３は、自装置宛ての送信信号の多重状態に関する情報と、自装置宛ての送信信号の再送状態に関する情報に基づいて、復調処理を行なうことが可能である。
【０１１９】
図４は、本実施形態に係る上りリンク伝送のフレームフォーマットの一例を示す概要図である。図４に示すように、本実施形態に係る上りリンク伝送のフレームフォーマットは、ＰＵＳＣＨリソース４０１と、ＰＵＳＣＨに関連付けられたＤＭＲＳリソース４０２と、ＰＵＣＣＨリソース４０３と、ＰＵＣＣＨに関連付けられたＤＭＲＳリソース４０４と、ＳＲＳリソース４１０と、を少なくとも含む。以下では、特に断りなくＤＭＲＳと記載されている場合、ＰＵＳＣＨに関連付けられたＤＭＲＳを指すものとする。また、フレームフォーマットは、サブフレーム長４０５（またはサブフレーム周期）、スロット長４０６（またはスロット周期）、シンボル長４０７（またはシンボル周期およびＳＣ−ＦＤＭＡシンボル長）およびＲＢ帯域幅４０８（まはたＲＢサブキャリア数）でそれぞれ管理されている。例えば、サブフレーム周期は１ｍｓ、スロット周期４０６は０．５ｍｓである
。なお、１サブフレームは１４個のＳＣ−ＦＤＭＡシンボルで構成され、１スロットは７個のＳＣ−ＦＤＭＡシンボルで構成される。ＲＢ帯域幅は１８０ｋＨｚである。図４の例では、システム帯域幅は８ＲＢでおよそ１．４ＭＨｚであるが、本実施形態に係る通信方法は、システム帯域幅に限定されない。なお、上記サブフレーム周期、スロット周期、１サブフレーム／スロット内のシンボル数、ＲＢ帯域幅の数値は一例であり、上記と異なる値であってもよい。また、各スロットに含まれるＤＭＲＳグループを、それぞれＤＭＲＳグループ４０２Ａ、Ｂ、Ｃ、Ｄとも呼称する。
【０１２０】
端末装置２は、基地局装置１Ａから送信されるスケジューリング情報等に基づいて、自装置が基地局装置１Ａに送信するデータ信号、制御信号およびＤＭＲＳを、それぞれ指定されたリソースに配置する。なお、ＰＵＣＣＨリソース４０３とＰＵＣＣＨに関連付けられたＤＭＲＳリソース４０４は、システム帯域幅の両端に準備されるが、端末装置２がＰＵＣＣＨおよびＰＵＣＣＨに関連付けられたＤＭＲＳを送信する時間については、図４の例に限定されない。ＰＵＣＣＨリソース４０３とＰＵＣＣＨに関連付けられたＤＭＲＳリソース４０４が含まれるＳＣ−ＦＤＭＡシンボルの位置、および帯域幅は、基地局装置１Ａが端末装置２に通知するＰＵＣＣＨのフォーマットの種類に関連付けられている。また、端末装置２は、ＰＵＳＣＨとＰＵＣＣＨを同時に送信することもできる。また、端末装置２は、ＰＵＳＣＨとＰＵＣＣＨを同時に送信できないように設定されることもできる。
【０１２１】
ＳＲＳリソース４１０は、各サブフレームの最後のＳＣ−ＦＤＭＡシンボルに含まれることができる。なお、ＳＲＳリソース４１０は、全てのサブフレームに含まれていなくても良い。なお、各端末装置２は、必ずしもＳＲＳリソース４１０として準備された全てのリソースでＳＲＳを送信する必要はなく、例えば、各端末装置２は、基地局装置１Ａより個別に通知されたリソースでＳＲＳを送信することもできる。ＳＲＳリソース４１０が含まれるサブフレーム番号等は、基地局装置１Ａから端末装置２に対して、上位レイヤのシグナリングもしくはＤＣＩによって通知される。端末装置２は、基地局装置１ＡよりＳＲＳの送信を要求された場合、基地局装置１Ａより通知されたサブフレームにおいて端末装置２はＳＲＳを送信することができる。このとき、ＳＲＳを送信するサブフレームにおいてはＰＵＳＣＨリソース４０１が他サブフレームより少なくなるから、端末装置２は該サブフレームにおいては、他サブフレームよりもＰＵＳＣＨ４０１リソースが少ないＳｈｏｒｔｅｎｅｄ  ＰＵＳＣＨで上りリンク伝送を行なうことができる。
【０１２２】
本実施形態に係る端末装置２Ａおよび２Ｂは、同じＰＵＳＣＨリソースに上りリンクの送信データを配置することができる。同じＰＵＳＣＨリソースに配置された端末装置２Ａおよび２Ｂの送信データを分離・復調するために、基地局装置１Ａは、端末装置２Ａおよび２Ｂとの間の伝搬路状態情報（ＣＳＩ）を推定する必要がある。そのため、従来のＬＴＥでは、端末装置２Ａおよび端末装置２Ｂは、ＤＭＲＳグループを形成するＤＭＲＳ信号系列に対して、それぞれ固有の巡回シフトを与えることができる。端末装置２Ａおよび２Ｂの送信データが配置されたＰＵＳＣＨリソースの周波数が一致している場合（Equal band allocationの場合）、端末装置２Ａおよび端末装置２Ｂが送信するＤＭＲＳが配置さ
れるＤＭＲＳリソースの周波数も一致する。よって、端末装置２Ａおよび２ＢがＤＭＲＳ系列に対して、それぞれ固有の巡回シフトを与えることで、基地局装置１Ａは、端末装置２Ａおよび端末装置２Ｂが送信したＤＭＲＳを分離し、それぞれチャネル推定を行なうことができる。しかし、上記方法では、端末装置２Ａおよび端末装置２Ｂのデータ多重方法は、Ｅｑｕａｌ  ｂａｎｄ  ａｌｌｏｃａｔｉｏｎに限定されてしまう。
【０１２３】
そこで、従来のＬＴＥ−Ａでは、端末装置２Ａおよび端末装置２Ｂは、ＤＭＲＳを時間方向に、直交カバー符号（Orthogonal cover code：ＯＣＣ）を用いて拡散することがで
きる。図４を例にとれば、端末装置２ＡはＤＭＲＳグループ４０２ＡとＤＭＲＳグループ４０２Ｂとして、固有の巡回シフトを与えたＤＭＲＳ系列を拡散率２のＯＣＣで拡散した
系列を送信することができる。基地局装置は、ＤＭＲＳグループ４０２Ａと、ＤＭＲＳグループ４０２Ｂに対して、端末装置２Ａおよび端末装置２Ｂに割り当てたＯＣＣを用いて逆拡散を施すことで、端末装置２Ａおよび２Ｂの送信データの一部だけが同じＰＵＳＣＨリソースに配置された場合（Unequal band allocationの場合）でも、ＤＭＲＳを分離す
ることができる。
【０１２４】
図５は、ＤＭＲＳに与える巡回シフト量と、時間方向拡散に用いられるＯＣＣ符号の割り当て例を示す表である。図５において、第１列が対応するＤＣＩフォーマットの巡回シフトフィールドの値、第２列から第５列が、各レイヤーで送信されるＤＭＲＳに適用される巡回シフト量を示す値、第６列から第９列が、各レイヤーで送信されるＤＭＲＳに提供されるＯＣＣ系列を示す値である。端末装置２Ａおよび端末装置２Ｂは、対応するＤＣＩフォーマットの巡回シフトフィールドの値に基づいて、自装置がＤＭＲＳ系列に適用する巡回シフト量とＯＣＣ系列を把握することができる。以下では、端末装置２がＤＭＲＳに適用する巡回シフト量を表す情報と、端末装置２がＤＭＲＳに提供するＯＣＣ系列を表す情報の少なくとも１つを含む情報をＤＭＲＳ設定情報とも呼ぶ。なお、ＤＭＲＳ設定情報には、他の情報が含まれていても良い。ＤＭＲＳ設定情報は、基地局装置１Ａから各端末装置２に対して、上位レイヤのシグナリングやＤＣＩで通知することができる。また、ＤＭＲＳ設定情報に関する情報の一部（例えば、ＤＣＩに記載の情報ビットとＯＣＣ系列とを関連付けるテーブル等）は、予め、端末装置２に設定されておくこともできる。しかし、図５の例によれば、ＯＣＣの拡散率は２であるから、Ｕｎｅｑｕａｌ  ｂａｎｄ  ａｌｌｏｃａｔｉｏｎで多重される端末装置数は２に限定される。
【０１２５】
そこで、本実施形態に係る端末装置２は拡散率４のＯＣＣを用いて、ＤＭＲＳを時間方向に拡散することができる。端末装置２は、ＤＭＲＳグループ４０２Ａ、Ｂ、Ｃ、Ｄとして、固有の巡回シフトを与えたＤＭＲＳ系列を拡散率４のＯＣＣで拡散した系列を送信することができる。本実施形態に係る端末装置２が用いるＯＣＣの種類は何かに限定されるものではない。例えば、端末装置２はＯＣＣとして、Ｗａｌｓｈ符号やＯＶＳＦ符号を用いることができる。例えば、端末装置２ＡはＯＣＣとして［１、１、１、１］を用いることができる。端末装置２ＢはＯＣＣとして［１、−１、１、−１］を用いることができる。端末装置２ＣはＯＣＣとして［１、１、−１、−１］を用いることができる。端末装置２ＤはＯＣＣとして［１、−１、−１、１］を用いることができる。このように端末装置２がＤＭＲＳを時間方向に拡散して送信することで、本実施形態に係る基地局装置１Ａは、Ｕｎｅｑｕａｌ  ｂａｎｄ  ａｌｌｏｃａｔｉｏｎで多重された３以上の端末装置２から送信されたＤＭＲＳを分離することができる。なお、拡散率８のＯＣＣを用いて、各端末装置２がＤＭＲＳを４サブフレームにわたって、時間方向に拡散することで、基地局装置１Ａは、最大で８の端末装置２が送信したＤＭＲＳを分離することができる。
【０１２６】
基地局装置１Ａは、図５と同様に、各端末装置２に対して、ＤＭＲＳに与える巡回シフト量に関連付けて、ＤＭＲＳの時間拡散に用いるＯＣＣ系列を通知又は指示することができる。また、基地局装置１Ａは、既存のＤＣＩフォーマットに基づいて、ＤＭＲＳに与える巡回シフト量に関連付けて、ＤＭＲＳの時間拡散に用いるＯＣＣ系列を端末装置２に通知することができる。例えば、基地局装置１Ａと端末装置２は、端末装置２がＤＭＲＳに与える巡回シフト量を示す情報が、端末装置２がＤＭＲＳの時間拡散に用いるＯＣＣ系列のどれを示すかを、予め決めておくことができる。このように制御されることで、端末装置２は、基地局装置１Ａより通知される、上りリンク参照信号生成部２０３３がＤＭＲＳに与える巡回シフト量を示す情報を取得することで、上りリンク参照信号生成部２０３３がＤＭＲＳの時間拡散に用いるＯＣＣ系列を把握することができる。また、基地局装置１Ａは、新しいＤＣＩフォーマットに基づいて、ＤＭＲＳに与える巡回シフト量に関連付けて、ＤＭＲＳの時間拡散に用いるＯＣＣ系列を端末装置２に通知することができる。例えば、新しいＤＣＩフォーマットでは、従来のＤＣＩフォーマットと同様に、ＤＭＲＳに与
えられる巡回シフト量を示す情報が記載されるフィールドを備えるが、既存のＤＣＩフォーマットには存在しない新しいフィールド（例えば、スケジューリング情報が継続するサブフレーム数等）を更に備えることができる。また、新しいＤＣＩフォーマットでは、既存のＤＣＩフォーマットが備えるフィールドを異なるビットサイズで備えることができる。
【０１２７】
また、基地局装置１ＡがＤＣＩで端末装置２にＯＣＣ系列を通知する場合、該ＤＣＩでは、拡散率の異なるＯＣＣ系列を通知することができる。図５の例によれば、ＤＣＩフォーマットに記載の位相回転量を通知する情報で、各端末装置２に通知されるＯＣＣ系列は拡散率２のものに限定される。本実施形態に係る基地局装置１Ａは、例えば、ＸビットのＤＣＩフォーマットに記載の位相回転量を通知できるＹ個の情報のうち、ｙ個は拡散率２のＯＣＣ系列を通知し、残りの（Ｙ−ｙ）個は拡散率４のＯＣＣ系列を通知することができる。
【０１２８】
また、基地局装置１Ａは、新しいＤＣＩフォーマットに基づいて、ＤＭＲＳに与える巡回シフト量と、ＤＭＲＳの時間拡散に用いるＯＣＣ系列を、それぞれ端末装置２に通知することができる。この場合、新しいＤＣＩフォーマットは、ＤＭＲＳに与えられる巡回シフト量を示す情報が記載されるフィールドと、ＤＭＲＳの時間拡散に用いられるＯＣＣ系列を示す情報が記載されるフィールドを備えることができる。また、端末装置２は、ＯＣＣ系列長が４の場合（基地局装置からＯＣＣ系列長が４であると指示された場合）、ＯＣＣ系列長が２の場合とは別のテーブルを参照して、巡回シフト量とＯＣＣ系列を得ることができる。例えば、基地局装置１Ａは、端末装置２にＯＣＣ系列長が２であるか４であるかを上位層又は物理層のシグナリングで指示することができる。
【０１２９】
本実施形態に係る端末装置２は、基地局装置１Ａより通知されるＤＭＲＳ設定情報に基づいて、複数のサブフレームにわたって送信するＤＭＲＳの送信方法を決定する。よって、基地局装置１Ａは複数のサブフレームで送信されるＤＭＲＳのＤＭＲＳ設定情報を端末装置２に通知しているともいえる。なお複数のサブフレームは、連続するサブフレームであることが望ましい。端末装置２の上りリンク参照信号生成部２０３３は、受信部２０４が取得したＤＭＲＳ設定情報に基づいて、ＤＭＲＳを生成し、送信部２０３が、生成したＤＭＲＳを含む上りリンク信号を送信する。また、複数のサブフレームでＤＭＲＳを送信する場合、端末装置２は、一部のサブフレームではＰＵＳＣＨを送信せずにＤＭＲＳを送信することもできる。
【０１３０】
本実施形態に係る通信システムが備える端末装置２には、ＬＴＥの異なるリリースの規格に対応している端末装置が混在することができる。例えば、本実施形態に係る端末装置２には、ＤＭＲＳを拡散率４のＯＣＣで時間方向に拡散できる第１の端末装置と、ＤＭＲＳを拡散率２のＯＣＣで時間方向に拡散できる第２の端末装置と、ＤＭＲＳを時間方向に拡散できない第３の端末装置と、が含まれる。
【０１３１】
本実施形態に係る基地局装置１Ａは、第１の端末装置と、第３の端末装置をＵｎｅｑｕａｌ  ｂａｎｄ  ａｌｌｏｃａｔｉｏｎで多重する場合、基地局装置１Ａは、ＯＣＣによる拡散ができない第３の端末装置にはＯＣＣとして［１、１、１、１］を割り当てているものとして、第１の端末装置に、ＯＣＣとして［１、−１、１、−１］、［１、１、−１、−１］、［１、−１、−１、１］のいずれかを割り当てることができる。基地局装置１Ａは、ＤＭＲＳグループ４０２Ａ〜Ｄに対して、第１の端末装置に割り当てたＯＣＣを用いて逆拡散処理を施すことで、第１の端末装置が送信したＤＭＲＳを分離することができる。基地局装置１Ａは、ＤＭＲＳグループ４０２Ａ〜Ｄに対して、時間方向への平均化処理を施すことで、第３の端末装置が送信したＤＭＲＳを分離することができる。つまり後方互換性を維持することができる。
【０１３２】
本実施形態に係る基地局装置１Ａは、第１の端末装置と、第２の端末装置をＵｎｅｑｕａｌ  ｂａｎｄ  ａｌｌｏｃａｔｉｏｎで多重する場合、基地局装置１Ａは、第２の端末装置にＯＣＣとして［１、１］を割り当てた場合、第１の端末装置にＯＣＣとして、［１、−１、１、−１］および［１、−１、−１、１］のいずれかを割り当てることができる。一方、基地局装置１Ａは、第２の端末装置にＯＣＣとして［１、−１］を割り当てた場合、第１の端末装置にＯＣＣとして、［１、１、１、１］］および［１、１、−１、−１］のいずれかを割り当てることができる。なお、基地局装置１Ａは、第２の端末装置に割り当てるＯＣＣを２サブフレームの間は変更しないことができる。基地局装置１Ａは、ＤＭＲＳグループ４０２Ａ〜Ｄに対して、第１の端末装置に割り当てたＯＣＣを用いて逆拡散処理を施すことで、第１の端末装置が送信したＤＭＲＳを分離することができる。基地局装置１Ａは、ＤＭＲＳグループ４０２Ａ〜ＢおよびＤＭＲＳグループ４０２Ｃ〜Ｄそれぞれに対して、第２の端末装置に割り当てたＯＣＣを用いて逆拡散処理を施すことで、第２の端末装置が送信したＤＭＲＳを分離することができる。
【０１３３】
本実施形態に係る基地局装置１Ａは、第１の端末装置と、第２の端末装置と、第３の端末装置をＵｎｅｑｕａｌ  ｂａｎｄ  ａｌｌｏｃａｔｉｏｎで多重する場合、基地局装置１Ａは、第２の端末装置にＯＣＣとして［１、−１］を割り当てることができる。そして、基地局装置１Ａは、第１の端末装置にＯＣＣとして、［１、１、−１、−１］を割り当てることができる。基地局装置１Ａは、ＤＭＲＳグループ４０２Ａ〜Ｄに対して、第１の端末装置に割り当てたＯＣＣを用いて逆拡散処理を施すことで、第１の端末装置が送信したＤＭＲＳを分離することができる。基地局装置１Ａは、ＤＭＲＳグループ４０２Ａ〜ＢおよびＤＭＲＳグループ４０２Ｃ〜Ｄそれぞれに対して、第２の端末装置に割り当てたＯＣＣを用いて逆拡散処理を施すことで、第２の端末装置が送信したＤＭＲＳを分離することができる。基地局装置１Ａは、ＤＭＲＳグループ４０２Ａ〜Ｄに対して、時間方向への平均化処理を施すことで、第３の端末装置が送信したＤＭＲＳを分離することができる。
【０１３４】
なお、上記説明では、端末装置２が、ＤＭＲＳを時間方向にＯＣＣで拡散することにより、複数の端末装置２がそれぞれ送信するＤＭＲＳを直交状態にしている。本実施形態に係る基地局装置１Ａは、端末装置２がそれぞれ送信するＤＭＲＳを時間分割多重することができる。基地局装置１Ａは、各端末装置２に対して、ＤＭＲＳを送信できるサブフレーム位置およびスロット位置を通知することができる。図４を例にとれば、基地局装置１Ａは、端末装置２Ａに対して、ＤＭＲＳグループ４０２Ａで示されるリソースにおいてＤＭＲＳを送信することを指示することができる。同様に、基地局装置１Ａは、端末装置２Ｂに対してＤＭＲＳグループ４０２Ｂで示されるリソース、端末装置２Ｃに対してＤＭＲＳグループ４０２Ｃで示されるリソース、端末装置２Ｄに対してＤＭＲＳグループ４０２Ｄで示されるリソースにおいて、それぞれＤＭＲＳを送信することを指示することができる。このように制御することで、基地局装置１Ａは、複数の端末装置２がそれぞれ送信するＤＭＲＳを直交状態にすることができる。この場合、基地局装置１Ａは、ＤＭＲＳ設定情報として、少なくとも２以上のサブフレームで送信されるＤＭＲＳの位置を示す情報を含むことになる。該ＤＭＲＳの位置を示す情報には、該ＤＭＲＳが含まれるサブフレーム番号、スロット番号およびＳＣ−ＦＤＭＡシンボル番号の何れかの少なくとも１つを含む。
【０１３５】
以上説明してきた方法によれば、基地局装置１Ａは、後方互換性を維持しつつ、３以上の端末装置をＵｎｅｑｕａｌ  ｂａｎｄ  ａｌｌｏｃａｔｉｏｎで空間多重することが可能となるから、通信システムの周波数利用効率を改善することができる。
【０１３６】
［２．第２の実施形態］
第１の実施形態の方法では、端末装置２が複数のサブフレームに渡って、時間分割多重もしくはＯＣＣによる符号分割多重によってＤＭＲＳを送信することで、基地局装置１Ａ
は、各端末装置２が送信したＤＭＲＳを分離している。本実施形態では、上りリンクＭＵ−ＭＩＭＯで多重されているＰＵＳＣＨに関連付けられているＤＭＲＳは、１サブフレームですべて送信される場合について説明する。なお、本実施形態に係る基地局装置１Ａおよび端末装置２の装置構成は第１の実施形態と同様であるから、説明は割愛する。
【０１３７】
本実施形態に係る端末装置２は、櫛の歯状の信号スペクトルをもったＤＭＲＳを送信することができる。端末装置２の上りリンク参照信号生成部２０３３が所定の系列を時間方向に複数回繰り返すことで櫛の歯状の信号スペクトルをもったＤＭＲＳを生成することができる。例えば、上りリンク参照信号生成部２０３３が長さＭの所定の系列を時間方向にＮ回（Ｎは２のべき乗で表される自然数）繰り返すことで生成するシンボル長がＴ（秒）のＤＭＲＳは、櫛の歯の間隔（信号スペクトルの間隔）がＮ／Ｔ（Ｈｚ）の櫛の歯状の信号スペクトルとなる。なお、以下の説明では、上記方法によって生成した信号のスペクトルを櫛の歯状のスペクトルと呼称するが、このことは必ずしも信号スペクトルの形が櫛の歯状であることを示すわけではない。本実施形態において、櫛の歯状の信号スペクトルをもつ信号には、該信号の信号スペクトルが周波数軸状において、Ｎ（＞１）サブキャリア毎に配置されている信号を含む。また、本実施形態において、櫛の歯状の信号スペクトルを生成する手段は、上記方法には限定されない。
【０１３８】
図６の本実施形態に係るＤＭＲＳの送信方法の１例を示す概要図である。簡単のため、図４に対して、ＰＵＳＣＨに関連付けられたＤＭＲＳリソースのうちの１ＲＢだけを取り出して記載している。スペクトル６０１Ａ〜Ｄは、それぞれ端末装置２Ａ〜２Ｄが送信しているＤＭＲＳを示している。また、同一シンボル時間において送信されているとみなされるＤＭＲＳを、ＤＭＲＳグループ６０２ＡおよびＤＭＲＳグループ６０２Ｂと呼称する。ＤＭＲＳグループ６０２Ａが送信されている時間は、図４のＤＭＲＳグループ４０２Ａと同じとみなされ、ＤＭＲＳグループ６０２Ｂが送信されている時間は、図４のＤＭＲＳグループ４０２Ｂと同じとみなされるから、ＤＭＲＳグループ６０２Ａおよび６０２Ｂは、同じサブフレームで送信されている。
【０１３９】
図６においては、端末装置２の上りリンク参照信号生成部２０３３が所定の系列を時間方向に４回繰り返している。よって、基地局装置１Ａは、各端末装置２に対して、それぞれが生成した櫛の歯状の信号スペクトルが重ならないように、スペクトルの位置を指定することで、最大４の端末装置２が送信するＤＭＲＳを分離することができる。すなわち、本実施形態に係る端末装置２は、それぞれが送信するＤＭＲＳを周波数分割多重で送信しているということもできる。
【０１４０】
なお、図６の例では、端末装置２は、１サブフレーム内で２回ＤＭＲＳを送信するが、各ＤＭＲＳの周波数配置は、サブフレーム内では同一としている。図７は、本実施形態に係るＤＭＲＳの送信方法の１例を示す概要図である。図７に示すように、本実施形態に係る端末装置２は、サブフレーム内で、異なる周波数配置でＤＭＲＳを送信することもできる。
【０１４１】
基地局装置１Ａは、端末装置２に通知するＤＭＲＳ設定情報に、端末装置２の上りリンク参照信号生成部２０３３が生成する櫛の歯状の信号スペクトルを備えるＤＭＲＳを生成するための情報（第１の情報）として、所定の系列の繰り返し数（該ＤＭＲＳの信号スペクトルの周波数間隔）を示す情報と、該ＤＭＲＳを配置する周波数を示す情報を含めることができる。なお、本実施形態に係る端末装置２の上りリンク参照信号生成部２０３３は、生成する櫛の歯状の信号スペクトルを備えるＤＭＲＳに、巡回シフトを与えることもできる。この場合、基地局装置１Ａは、該ＤＭＲＳに与える巡回シフト量に関連付けて、該櫛の歯状の信号スペクトルを備えるＤＭＲＳを生成するための情報を端末装置２に通知することができる。
【０１４２】
また、本実施形態に係る端末装置２は、符号分割多重を合わせて用いても良い。符号分割多重を用いることで、本実施形態に係る基地局装置１Ａは、櫛の歯状の信号スペクトルをもったＤＭＲＳを送信可能な第４の端末装置と、櫛の歯状の信号スペクトルをもつＤＭＲＳは送信できないものの、拡散率２のＯＣＣを用いてＤＭＲＳを時間方向に拡散して送信可能な第５の端末装置と、櫛の歯状の信号スペクトルをもつＤＭＲＳは送信できず、さらにＯＣＣを用いてＤＭＲＳを時間方向に拡散して送信することもできない第６の端末装置を、Ｕｎｅｑｕａｌ  ｂａｎｄ  ａｌｌｏｃａｔｉｏｎで空間多重することができる。
【０１４３】
図８は、本実施形態に係るＤＭＲＳの送信方法の１例を示す概要図である。図８においては、第４の端末装置である端末装置２Ａ〜２Ｄと、第５の端末装置である端末装置２ＥがＤＭＲＳを送信している場合を示している。基地局装置１Ａは、端末装置２Ｅに対して、ＯＣＣとして［１、１］を割り当てた場合、端末装置２Ａ〜２Ｄに対しては、ＯＣＣとして［１、−１］を割り当てることができる。つまり、端末装置２Ａ〜２Ｄはそれぞれ共通のＯＣＣを使うということである。なお、端末装置２Ａ〜２Ｄの上りリンク参照信号生成部２０３３は、所定の系列に対してＯＣＣを用いて時間拡散を施したあとに、時間拡散後の所定の系列を複数回繰り返すことで、櫛の歯状の信号スペクトルをもったＤＭＲＳを生成してもよいし、先に所定の系列を複数回繰り返すことで、櫛の歯状の信号スペクトルをもったＤＭＲＳを生成した後に、生成したＤＭＲＳをＯＣＣによって時間拡散してもよい。なお、基地局装置１Ａは、端末装置２Ｅに対して、ＯＣＣとして［１、−１］を割り当てた場合、端末装置２Ａ〜２Ｄに対して、ＯＣＣとして［１、１］を割り当てることができる。
【０１４４】
基地局装置１Ａは、上記方法によって、１サブフレーム内で２回送信されるＤＭＲＳに対して、ＯＣＣを用いて逆拡散処理を施すことで、端末装置２Ａ〜２Ｄと、端末装置２Ｅが送信しているＤＭＲＳを分離することができる。更に、基地局装置１Ａは、ＯＣＣによる逆拡散によって分離した端末装置２Ａ〜２Ｄが送信したＤＭＲＳについて、各端末装置２に対して指定した周波数位置のＤＭＲＳを取得することで、端末装置２Ａ〜２Ｄが送信したＤＭＲＳを分離することができる。以上の方法を簡単にまとめると、本実施形態に係る基地局装置１Ａは、櫛の歯状の信号スペクトルをもったＤＭＲＳを生成可能な第４の端末装置と、櫛の歯状の信号スペクトルをもったＤＭＲＳを生成できない第５の端末装置との間のＤＭＲＳの直交性を、ＯＣＣによる符号分割多重で実現する一方で、第４の端末装置同士のＤＭＲＳの直交性を、周波数分割多重で実現していると言える。なお、基地局装置１Ａが第４の端末装置と、第６の端末装置をＵｎｅｑｕａｌ  ｂａｎｄ  ａｌｌｏｃａｔｉｏｎで空間多重する場合、基地局装置１Ａは、第６の端末装置にはＯＣＣとして［１、１］を割り当てたものとして、第４の端末装置には、ＯＣＣとして［１、−１］を割り当てることができる。
【０１４５】
なお、周波数分割多重と符号分割多重を同時に用いる場合、基地局装置１Ａは、端末装置２に対して、図８に示すように、同じサブフレーム内では、端末装置２が送信するＤＭＲＳの信号スペクトルの位置を同じ位置にするように指示することが好適である。しかし、ＲＢ内でのチャネルの周波数選択性が十分に小さい場合等においては、基地局装置１Ａは、端末装置２に対して、必ずしも、同じサブフレーム内で、ＤＭＲＳの信号スペクトルの位置を同じ位置にするように指示する必要はない。
【０１４６】
基地局装置１Ａは、端末装置２に通知するＤＭＲＳ設定情報に、端末装置２の上りリンク参照信号生成部２０３３が生成する櫛の歯状の信号スペクトルを備えるＤＭＲＳを生成するための情報として、上りリンク参照信号生成部２０３３がＤＭＲＳの時間拡散に用いるＯＣＣ系列を示す情報を含めることができる。また、基地局装置１Ａは、該ＤＭＲＳに与える巡回シフト量に関連付けて、該櫛の歯状の信号スペクトルを備えるＤＭＲＳを生成
するための情報を端末装置２に通知することができる。
【０１４７】
図４の例では、端末装置２がＤＭＲＳを送信するリソースは、必ずタイムスロットの中央である。例えば、タイムスロットが７個のＳＣ−ＦＤＭＡシンボルで構成されている場合、１つのサブフレームで送信される１４個のＳＣ−ＦＤＭＡシンボルのうち、ＤＭＲＳが含まれるのは４番目と１１番目のＳＣ−ＦＤＭＡシンボルである（図４参照）。本実施形態に係る端末装置２は、４番目と１１番目のＳＣ−ＦＤＭＡシンボル以外のＳＣ−ＦＤＭＡシンボルにも、ＤＭＲＳを含めることができる。
【０１４８】
図９は、本実施形態に係る上りリンク伝送のフレームフォーマットの一例を示す概要図である。図９に示すように、本実施形態においては、図４においてＰＵＳＣＨリソース４０１であったリソースの一部を、ＤＭＲＳリソース４０９としている。なお、図９の例においては、ＤＭＲＳリソース４０９は、サブフレーム内の２番目と９番目のＳＣ−ＦＤＭＡシンボルに含まれているが、基地局装置１Ａは、端末装置２に対して、ＤＭＲＳリソース４０９が含まれるサブフレーム番号、ＤＭＲＳリソース４０９が含まれるスロット番号、ＤＭＲＳリソース４０９が含まれるＳＣ−ＦＤＭＡシンボルの位置、ＤＭＲＳリソース４０９が含まれる周期、ＤＭＲＳリソース４０９で送信されるＤＭＲＳに適用される巡回シフト量、ＤＭＲＳリソース４０９で送信されるＤＭＲＳに適用されるＯＣＣ、ＤＭＲＳリソース４０９で送信されるＤＭＲＳの信号スペクトルの櫛の歯の数と位置等を、上位レイヤのシグナリングもしくはＤＣＩによって通知することができる。
【０１４９】
図９のフレームフォーマットによれば、１サブフレームは、ＤＭＲＳを含むＳＣ−ＦＤＭＡシンボルを４つ備えることができる。例えば、基地局装置１Ａは、拡散率４のＯＣＣのいずれか１つを各端末装置２に通知することができるから、端末装置２は、自装置が送信するＤＭＲＳを、１サブフレーム内の４つのＳＣ−ＦＤＭＡシンボルに渡って、基地局装置１Ａより通知されたＯＣＣを用いて時間方向に拡散して送信することができる。基地局装置１Ａは、１サブフレーム内の４つのＳＣ−ＦＤＭＡシンボルに渡って、各端末装置２に通知したＯＣＣに基づいて逆拡散処理を施すことで、各端末装置２が送信したＤＭＲＳを分離することができる。なお、端末装置２は、ＤＭＲＳリソース４０９が配置されるサブフレームにおいては、ＰＵＳＣＨリソース４０１が、他サブフレームより少なくなるから、端末装置２は、該サブフレームにおいては、Ｓｈｏｒｔｅｎｅｄ  ＰＵＳＣＨにて上りリンク信号を伝送することができる。
【０１５０】
また、端末装置２は、ＤＭＲＳリソース４０９において、櫛の歯状の信号スペクトルをもったＤＭＲＳを送信することができる。例えば、各端末装置２の上りリンク参照信号生成部２０３３が、Ｎサブキャリア毎に信号スペクトルが配置されるＤＭＲＳを生成し、基地局装置１Ａより通知される周波数配置により、他端末装置２がＤＭＲＳリソース４０９において送信するＤＭＲＳの信号スペクトルと重ならないように送信することで、基地局装置１Ａは、最大でＮ個の端末装置２がＤＭＲＳリソース４０９で送信するＤＭＲＳを分離することができる。
【０１５１】
なお、ＤＭＲＳリソース４０９が配置される可能性のあるリソースは、ＰＵＳＣＨ以外の他のチャネルのリソース（例えば、ＤＭＲＳリソース４０２や、ＰＲＡＣＨリソース等）である場合もある。基地局装置１Ａは、ＤＭＲＳリソース４０９は、ＰＵＳＣＨ以外のチャネルのリソースとは重ならないように、ＤＭＲＳリソース４０９に関する情報を、端末装置２に通知することができる。なお、基地局装置１Ａは、ＤＭＲＳリソース４０９とＰＵＳＣＨ以外の他のチャネルのリソースが重なる場合、当該リソースの解釈の仕方を示す情報を、端末装置２に上位もしくは物理層のシグナリングによって通知することができる。例えば、基地局装置１Ａは、ＤＭＲＳリソース４０９とＰＵＳＣＨ以外の他のチャネルのリソースが重なる場合、当該リソースは、ＤＭＲＳリソース４０９と解釈するように
、端末装置２に通知することができる。なお、上記解釈の方法は、端末装置２に予め設定されておくことができる。
【０１５２】
図１０は、本実施形態に係る本実施形態に係る上りリンク伝送のフレームフォーマットの一例を示す概要図である。図１０においては、図４においてＳＲＳリソースであったリソース（例えばサブフレームの最後のＳＣ−ＦＤＭＡシンボル）を、ＤＭＲＳリソース４０９としている。端末装置２は、ＤＭＲＳリソース４０９でＤＭＲＳを送信することができる。また、端末装置２は、ＤＭＲＳリソース４０９において、櫛の歯状の信号スペクトルをもったＤＭＲＳを送信することができる。例えば、各端末装置２の上りリンク参照信号生成部２０３３が、Ｎサブキャリア毎に信号スペクトルが配置されるＤＭＲＳを生成し、基地局装置１Ａより通知される周波数配置により、他端末装置２がＤＭＲＳリソース４０９において送信するＤＭＲＳの信号スペクトルと重ならないように送信することで、基地局装置１Ａは、最大でＮ個の端末装置２がＤＭＲＳリソース４０９で送信するＤＭＲＳを分離することができる。また、基地局装置１Ａは、櫛の歯状の信号スペクトルを持つＤＭＲＳを送信するように端末装置２に指示することができる。このとき、基地局装置１Ａは、ＤＭＲＳの櫛の歯数及びＤＭＲＳを配置するリソースを指示することができる。端末装置２は、基地局装置１Ａから櫛の歯状のＤＭＲＳを送信するように指示された場合、櫛の歯状のＤＭＲＳを送信する。基地局装置１ＡからＤＭＲＳを配置するリソースの指示がある場合、端末装置２は、所定の櫛の歯数及び指示されたリソースでＤＭＲＳを送信する。また、基地局装置１Ａは、ＯＣＣで分離するＤＭＲＳと櫛の歯状の信号スペクトルを持つＤＭＲＳは同時又は独立に設定することができる。
【０１５３】
基地局装置１Ａは、ＤＭＲＳリソース４０９が配置されるサブフレーム番号を示す情報を端末装置２に通知することができる。なお、本実施形態に係る端末装置２は、図１０において、ＤＭＲＳリソース４０９が配置されているリソースにおいて、ＳＲＳを送信することもできる。基地局装置１Ａは、端末装置２に対して、端末装置２がＳＲＳを送信するリソースを示す情報を通知することができる。よって、基地局装置１Ａは、当該リソースが、端末装置２がＳＲＳを送信するリソースであった場合、当該リソースからＤＭＲＳを送信しないように、上位レイヤのシグナリングおよびＤＣＩによって端末装置２を設定することができる。当然、端末装置２は、当該リソースが、端末装置２がＳＲＳを送信するリソースであった場合、当該リソースからＤＭＲＳを送信しないように、予め設定されておくこともできる。
【０１５４】
端末装置２は、図１０において、ＤＭＲＳリソース４０９が配置されているリソースにおいて、基地局装置１Ａより、ＳＲＳの送信と、ＤＭＲＳの送信の両方が設定されている場合、どちらの送信を優先するか決定することができる。端末装置２は、図１０において、ＤＭＲＳリソース４０９が配置されているリソースにおいて、基地局装置１Ａより、ＳＲＳの送信と、ＤＭＲＳの送信の両方が設定されている場合、どちらの送信を優先するかを、基地局装置１Ａより設定されることができる。また、どちらの送信を優先するかは予め仕様等で決められていてもよい。例えば、ＳＲＳの送信とＤＭＲＳの送信が衝突した場合、端末装置２は、ＤＭＲＳの送信を優先することができる。
【０１５５】
端末装置２は、ＳＲＳリソース４１０が配置されるサブフレームの周期と、ＤＭＲＳリソース４０９が配置されるサブフレームの周期を、基地局装置１Ａより独立に設定されることができる。例えば、端末装置２は、ＳＲＳは、基地局装置１Ａより設定された周期により周期的に送信する一方で、ＤＭＲＳについては、自装置がＰＵＳＣＨリソース４０１にデータを配置する場合のみ送信することができる。ＳＲＳリソース４１０が配置されるサブフレームとＤＭＲＳリソース４０９が配置されるサブフレームが一致した場合、端末装置２は、どちらのリソース配置を優先するかを基地局装置１Ａに設定されることができる。ＳＲＳリソース４１０が配置されるサブフレームとＤＭＲＳリソース４０９が配置さ
れるサブフレームが一致した場合、端末装置２は、どちらのリソース配置を優先するかを仕様等で予め設定されておくことができる。また、端末装置２は、それぞれ櫛の歯状の信号スペクトルをもつＳＲＳとＤＭＲＳの信号スペクトルが重ならないように送信することで、ＳＲＳとＤＭＲＳを同時に同じリソースで送信することができる。この場合、基地局装置１Ａは、ＳＲＳとＤＭＲＳを、同じ櫛の歯数で異なる配置リソースとして設定する。また、端末装置２は、櫛の歯状の信号スペクトルをもつＳＲＳとＤＭＲＳを同じリソース及びタイミングで送信しないとすることができる。つまり基地局装置１Ａは、ＳＲＳが送信されるリソースにはＤＭＲＳの送信を設定しない。言い換えると、基地局装置１Ａは、ＳＲＳの送信が設定されていない場合に、櫛の歯状の信号スペクトルを持つＤＭＲＳを設定することができる。
【０１５６】
また、端末装置２は、ＳＲＳリソース４１０が配置される周期と、ＤＭＲＳリソース４０９が配置される周期を、同じ値に設定されることができる。また、端末装置２は、基地局装置１Ａよりトリガされた場合にＤＭＲＳリソース４０９でＤＭＲＳを送信することができる。
【０１５７】
以上説明してきた方法によれば、基地局装置１Ａは、後方互換性を維持しつつ、３以上の端末装置をＵｎｅｑｕａｌ  ｂａｎｄ  ａｌｌｏｃａｔｉｏｎで空間多重することを、自装置が行なうスケジューリングに制限を与えることなく可能となるから、通信システムの周波数利用効率を改善することができる。
【０１５８】
［３．全実施形態共通］
なお、本発明に係る基地局装置及び端末装置は、ライセンスバンドに限定されずアンライセンスバンドで運用される無線アクセス技術（Radio access technology：ＲＡＴ）に
用いられることが可能である。また、アンライセンスバンドで運用されるＲＡＴは、ライセンスバンドの補助を受けることができるライセンス補助アクセスであることができる。
【０１５９】
また、本発明に係る基地局装置及び端末装置は、複数の送信ポイント（もしくは複数の受信ポイント）から信号が送信（もしくは受信）されるＤｕａｌ  ｃｏｎｎｅｃｔｉｖｉｔｙ（ＤＣ）で用いられることが可能である。基地局装置及び端末装置は、ＤＣで接続される複数の送信ポイント（もしくは受信ポイント）のいずれかの少なくとも１つとの通信に用いられることが出来る。また、本発明に係る基地局装置及び端末装置は、複数のＣＣが用いられるキャリアアグリゲーション（ＣＡ）で用いられることが可能である。基地局装置及び端末装置は、ＣＡされる複数のＣＣのうち、プライマリセルに対してのみ用いられることが出来るし、セカンダリセルに対してのみ用いられることが出来るし、プライマリセルとセカンダリセルの両方に用いられることもできる。
【０１６０】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１６１】
また市場に流通させる場合には、可搬型の記録媒体にプログラムを格納して流通させた
り、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１６２】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１６３】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１６４】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１６５】
本発明は、基地局装置、端末装置および通信方法に用いて好適である。
【符号の説明】
【０１６６】
１Ａ  基地局装置
２、２Ａ、２Ｂ、２Ｃ、２Ｄ、２Ｅ  端末装置
１０１    上位層処理部
１０１１  無線リソース制御部
１０１２  スケジューリング部
１０２    制御部
１０３    送信部
１０３１  符号化部
１０３２  変調部
１０３３  下りリンク参照信号生成部
１０３４  多重部
１０３５  無線送信部
１０４    受信部
１０４１  無線受信部
１０４２  多重分離部
１０４３  復調部
１０４４  復号部
１０５    アンテナ
２０１    上位層処理部
２０２    制御部
２０３    送信部
２０４    受信部
２０５    チャネル状態情報生成部
２０６    アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
４０１  ＰＵＳＣＨリソース
４０２、４０４、４０９  ＤＭＲＳリソース
４０２Ａ〜Ｄ、６０２Ａ〜Ｂ  ＤＭＲＳグループ
４０３  ＰＵＣＣＨリソース
４０５  サブフレーム長
４０６  スロット長
４０７  シンボル長
４０８  ＲＢ帯域幅
４１０  ＳＲＳリソース
６０１Ａ〜Ｅ  信号スペクトル
【図１】
2019033304.tif 000003
【図２】
2019033304.tif 000004
【図３】
2019033304.tif 000005
【図４】
2019033304.tif 000006
【図５】
2019033304.tif 000007
【図６】
2019033304.tif 000008
【図７】
2019033304.tif 000009
【図８】
2019033304.tif 000010
【図９】
2019033304.tif 000011
【図１０】
2019033304.tif 000012